(57)【要約】      （修正有）【課題】媒体を良好に検知し得る媒体鑑別装置及び媒体処理装置を提供する。【解決手段】小切手処理装置は、アライナ部１３の重送検知センサ４７において、受信部５２の上面５２Ｔを保守面側に傾斜させた。アライナ部１３では、受信部５２の上面５２Ｔを保守面側に位置する保守作業者側に向けることができるので、上面５２Ｔにおける堆積物の状態を容易に確認させることができ、またこの堆積物を清掃治具等により容易に清掃させることができる。【選択図】図４
2018195188.tif 000002
【特許請求の範囲】
【請求項１】
保守作業者が対峙すべき保守面と平行な搬送方向に沿って媒体を案内し、該保守面と交差する下案内面を上方に向けた下搬送ガイドと、
前記媒体に駆動力を伝達させ、前記搬送方向へ前記媒体を搬送させる搬送部と、
前記搬送部により搬送される前記媒体が通過する空間である搬送空間に向けて所定の媒体検知波を送信する送信体と、該送信体から送信され前記搬送空間内を通過した前記媒体検知波を受信する受信体とを有する検知部と
を具え、
前記検知部の前記送信体及び前記受信体のうち何れか一方は、前記下案内面よりも下側に設置された下検知部であり、且つ前記媒体検知波を送信又は受信する媒体検知面が、前記下案内面に対し前記保守面側に傾斜している
ことを特徴とする媒体鑑別装置。
【請求項２】
前記下検知部は、前記下搬送ガイドに取り付けられ、
前記下搬送ガイドは、前記保守面に沿った下保守側板を有すると共に、該下保守側板における前記下検知部の前記保守面側となる箇所に、該下保守側板を貫通する保守孔が形成されている
ことを特徴とする請求項１に記載の媒体鑑別装置。
【請求項３】
前記下案内面と対向し該下案内面との間に前記搬送空間を形成する上案内面を有する上搬送ガイド
をさらに具えることを特徴とする請求項２に記載の媒体鑑別装置。
【請求項４】
前記下搬送ガイドに対して前記上搬送ガイドを変位させることにより、前記上案内面を前記下案内面に対向させた対向状態と、該上案内面を該下案内面から引き離した非対向状態とに遷移させる状態遷移部と、
前記対向状態において前記保守孔を被覆し、前記非対向状態において前記保守孔を開放する被覆部と
をさらに具えることを特徴とする請求項３に記載の媒体鑑別装置。
【請求項５】
前記被覆部は、前記下搬送ガイド及び前記上搬送ガイドを前記非対向状態に保持する保持体の一部である
ことを特徴とする請求項４に記載の媒体鑑別装置。
【請求項６】
前記保守面側及びその反対である非保守面側を結ぶ幅方向に関し、前記搬送空間内における前記媒体の位置を所定の幅方向範囲内に規制する幅方向ガイド
をさらに具え、
前記媒体は、前記幅方向の長さが最も短い幅最短媒体における該幅方向の長さが所定の最短幅長であり、
前記下搬送ガイドは、前記下案内面に前記媒体検知波を通過させる通過孔が形成され、前記幅方向ガイドにより規制された範囲内で前記媒体が前記媒体検知波の経路を横切るときに、該媒体検知波のうち前記受信体に到達する全範囲が該媒体に照射される
ことを特徴とする請求項１に記載の媒体鑑別装置。
【請求項７】
前記下搬送ガイドは、前記搬送空間における最も前記保守面側の箇所から前記通過孔における最も前記非保守面側の箇所までの間隔と、前記搬送空間における最も前記非保守面側の箇所から前記通過孔における最も前記保守面側の箇所までの間隔とが、何れも前記最短幅長以下である
ことを特徴とする請求項６に記載の媒体鑑別装置。
【請求項８】
前記下搬送ガイドは、前記搬送空間における最も前記保守面側の箇所から前記通過孔を通過する前記媒体検知波における最も前記非保守面側の箇所までの間隔と、前記搬送空間における最も前記非保守面側の箇所から前記通過孔を通過する前記媒体検知波における最も前記保守面側の箇所までの間隔とが、何れも前記最短幅長以下である
ことを特徴とする請求項６に記載の媒体鑑別装置。
【請求項９】
利用者から媒体を受け取る受取部と、
前記媒体を鑑別する鑑別部と、
前記鑑別部により得られた鑑別結果を基に、前記利用者との間で前記媒体に関する取引処理を行う制御部と
を具え、
前記鑑別部は、
保守作業者が対峙すべき保守面と平行な搬送方向に沿って前記媒体を案内し、該保守面と交差する下案内面を上方に向けた下搬送ガイドと、
前記媒体に駆動力を伝達させ、前記搬送方向へ前記媒体を搬送させる搬送部と、
前記搬送部により搬送される前記媒体が通過する空間である搬送空間に向けて所定の媒体検知波を送信する送信体と、該送信体から送信され前記搬送空間内を通過した前記媒体検知波を受信する受信体とを有する検知部と
を具え、
前記検知部の前記送信体及び前記受信体のうち何れか一方は、前記下案内面よりも下側に設置された下検知部であり、且つ前記媒体検知波を送信又は受信する媒体検知面が、前記下案内面に対し前記保守面側に傾斜している
ことを特徴とする媒体処理装置。
【発明の詳細な説明】
【技術分野】
【０００１】
本発明は媒体鑑別装置及び媒体処理装置に関し、例えば小切手等の媒体による入金処理を行う小切手処理装置に適用して好適なものである。
【背景技術】
【０００２】
従来、小切手処理装置においては、金融機関等において顧客との間で媒体としての小切手による入金取引を行うものが普及している。この小切手処理装置は、入金取引において、例えば長方形状の紙でなる小切手を搬送部により所定の搬送路に沿って搬送しながら、表面及び裏面を撮像して画像データを生成する処理や、処理済であることを表す文字等を印刷する処理等を行う。
【０００３】
また小切手処理装置の中には、集積された複数枚の小切手を１枚ずつに分離して繰り出す分離部を有するものがある。このような小切手処理装置では、例えば顧客から複数枚の集積された小切手を受け取り、分離部においてこれを１枚ずつに分離する分離処理を行うことにより、搬送部において小切手を１枚ずつ搬送できるため、顧客に小切手を１枚ずつに分けて投入させる手間を省略できる。
【０００４】
しかしながら、一般に小切手は大きさや厚さ、或いは紙質等が統一されておらず、様々な種類のものが存在する。このため小切手処理装置では、分離部において分離処理を行ったとしても小切手を１枚ずつに正しく分離できず、２枚以上を重ねて繰り出す、いわゆる重送を発生させてしまう場合がある。
【０００５】
そこで小切手処理装置では、分離部の下流側に配置された搬送部における、該分離部の直近となる箇所に、小切手の重送を検知する重送検知センサを設けたものが提案されている（例えば、特許文献１参照）。この小切手処理装置では、小切手の重送を検知した場合、例えばこの小切手を直ちに逆送させて分離部へ戻すことにより、この小切手に対して分離処理を再度行い、１枚ずつへの分離を試みることができる。
【先行技術文献】
【特許文献】
【０００６】
【特許文献１】特開２００６−３６３７６号公報（図３）
【発明の概要】
【発明が解決しようとする課題】
【０００７】
ところで小切手処理装置の搬送部では、例えば搬送路を挟むように一対の板状の搬送ガイドを設け、この搬送ガイドにより小切手を案内しながら搬送する。このため搬送部は、例えば小切手の紙面を上下に向けた姿勢で、前後方向に沿って搬送する場合、搬送路の上下それぞれに、小切手を案内する案内面をほぼ水平とした搬送ガイドを配置する。
【０００８】
一方、上述した重送検知センサは、例えば超音波を送信する送信部と、該超音波を受信する受信部とにより構成されている。この送信部及び受信部は、小切手の搬送路を挟んで互いに対向する位置に配置される。具体的に搬送部では、例えば上側の搬送ガイドの上側に送信部が設けられ、下側の搬送ガイドの下側に受信部が設けられる。また各搬送ガイドには、超音波を通過させるための通過孔が設けられる。
【０００９】
そうすると小切手処理装置では、搬送ガイドの通過孔から受信部の上面に埃や紙粉等が落下して堆積することにより、受信部における超音波の受信感度が低下し、小切手の検知精度が悪化する恐れがある。このため小切手処理装置では、例えば保守作業の一環等として、保守作業者により、受信部の上面に堆積した埃等の清掃が行われる。
【００１０】
しかしながら小切手処理装置には、搬送部における受信部の周囲に、小切手に駆動力を伝達する搬送ローラや、この搬送ローラに駆動力を供給するギア等、或いは搬送路における小切手の位置を検知するためのセンサ等、種々の部品が設けられている。このため小切手処理装置では、受信部の清掃作業が困難なものとなり、作業性が悪い、という問題があった。
【００１１】
本発明は以上の点を考慮してなされたもので、媒体を良好に検知し得る媒体鑑別装置及び媒体処理装置を提案しようとするものである。
【課題を解決するための手段】
【００１２】
かかる課題を解決するため本発明の媒体鑑別装置においては、保守作業者が対峙すべき保守面と平行な搬送方向に沿って媒体を案内し、該保守面と交差する下案内面を上方に向けた下搬送ガイドと、媒体に駆動力を伝達させ、搬送方向へ媒体を搬送させる搬送部と、搬送部により搬送される媒体が通過する空間である搬送空間に向けて所定の媒体検知波を送信する送信体と、該送信体から送信され搬送空間内を通過した媒体検知波を受信する受信体とを有する検知部とを設け、検知部の送信体及び受信体のうち何れか一方が、下案内面よりも下側に設置された下検知部であり、且つ媒体検知波を送信又は受信する媒体検知面が、下案内面に対し保守面側に傾斜しているようにした。
【００１３】
また本発明の媒体処理装置においては、利用者から媒体を受け取る受取部と、媒体を鑑別する鑑別部と、鑑別部により得られた鑑別結果を基に、利用者との間で媒体に関する取引処理を行う制御部とを設け、該鑑別部に、保守作業者が対峙すべき保守面と平行な搬送方向に沿って媒体を案内し、該保守面と交差する下案内面を上方に向けた下搬送ガイドと、媒体に駆動力を伝達させ、搬送方向へ媒体を搬送させる搬送部と、搬送部により搬送される媒体が通過する空間である搬送空間に向けて所定の媒体検知波を送信する送信体と、該送信体から送信され搬送空間内を通過した媒体検知波を受信する受信体とを有する検知部とを設け、検知部の送信体及び受信体のうち何れか一方が、下案内面よりも下側に設置された下検知部であり、且つ媒体検知波を送信又は受信する媒体検知面が、下案内面に対し保守面側に傾斜しているようにした。
【００１４】
本発明は、下検知部の媒体検知面を下案内面に対し保守面側に傾斜させているため、保守面側に位置する保守作業者に対し、媒体検知面を容易に視認させることができ、また保守作業者の指先や清掃治具等を該媒体検知面の近傍に容易に到達させて、清掃させることができる。この結果、本発明では、検知部において精度良く媒体を検知し得る状態を、容易に維持することができる。
【発明の効果】
【００１５】
本発明によれば、媒体を良好に検知し得る媒体鑑別装置及び媒体処理装置を実現できる。
【図面の簡単な説明】
【００１６】
【図１】小切手処理装置の全体構成を示す略線図である。
【図２】アライナ部の構成を示す平面図及び側面図である。
【図３】第１の実施の形態による重送検知センサの構成を示す略線的斜視図である。
【図４】重送検知センサの構成を示す略線的側面図である。
【図５】第２の実施の形態によるアライナ部の構成を示す略線的側面図である。
【図６】第２の実施の形態による重送検知センサの構成を示す略線的斜視図である。
【図７】第３の実施の形態によるアライナ部の構成を示す略線的平面図である。
【図８】重送検知センサによる重送検知の様子を示す略線図である。
【図９】重送検知信号の信号レベル分布図を示す略線図である。
【図１０】第４の実施の形態によるアライナ部の構成を示す略線的平面図である。
【発明を実施するための形態】
【００１７】
以下、発明を実施するための形態（以下実施の形態とする）について、図面を用いて説明する。
【００１８】
［１．第１の実施の形態］
［１−１．小切手処理装置の構成］
図１に模式的な左側面図を示すように、第１の実施の形態による小切手処理装置１は、例えば金融機関等に設置される自動取引装置（図示せず）の内部に組み込まれており、利用者（すなわち金融機関の顧客）との間で小切手の入金取引に関する処理（以下これを取引処理とも呼ぶ）を行う。媒体処理装置としての小切手処理装置１は、全体として直方体状に形成されたフレーム２の内部に、媒体としての小切手に関する種々の処理を行う複数の処理ユニットが組み込まれた構成となっている。
【００１９】
以下では、小切手処理装置１のうち顧客が対峙する側を前側とし、その反対を後側とし、当該前側に対峙した顧客から見て左及び右をそれぞれ左側及び右側とし、さらに上側及び下側を定義して説明する。
【００２０】
自動取引装置（図示せず）には、全体を統括的に制御する統括制御部や、利用者に向けて種々の情報を表示する表示部（図示せず）、或いは該利用者の操作指示を受け付けて統括制御部に通知する操作部（図示せず）等が設けられている。
【００２１】
小切手処理装置１は、制御部３により、自動取引装置の統括制御部（図示せず）と連携しながら、全体を制御するようになっている。この制御部３は、図示しないＣＰＵ（Central Processing Unit）を中心に構成されており、図示しないＲＯＭ（Read Only Memory）やフラッシュメモリ等から所定のプログラムを読み出して実行することにより、入金取引に関する種々の処理を行う。また制御部３は、内部にＲＡＭ（Random Access Memory）、ハードディスクドライブやフラッシュメモリ等でなる記憶部を有しており、この記憶部に各種プログラムや入金取引に関する種々の情報を記憶させている。
【００２２】
フレーム２の上部における前側約半分の部分には、利用者から小切手ＣＫを受け取る受取部としてのバンドル部１１が配置されている。バンドル部１１の前端には、開閉可能なシャッタ１１Ｓが設けられている。制御部３は、上述した操作部（図示せず）を介して利用者から入金取引の開始を指示する操作を受け付けると、バンドル部１１に対しシャッタ１１Ｓを開放させるよう制御する。
【００２３】
これに応じてバンドル部１１は、利用者に対し束状に集積された小切手ＣＫ（以下これを束小切手ＣＫＢとも呼ぶ）を内部に挿入させ、その後シャッタ１１Ｓを閉塞することにより、内部に保有する小切手ＣＫを保護する。因みに小切手ＣＫは、長方形の紙により構成され、その表面に金額等の情報が表示されている。また束小切手ＣＫＢは、各小切手ＣＫの長辺を前後に沿わせ、短辺を左右方向に沿わせると共に、金額等が記載された表面を上に向けた姿勢で挿入される。
【００２４】
バンドル部１１は、内部に設けられた束搬送機構により前後方向に沿った束搬送路ＷＢを形成しており、束小切手ＣＫＢをこの束搬送路ＷＢに沿って後方向へ搬送し、該バンドル部１１の後端近傍に設けられた分離部１２の前側に到達させる。分離部１２は、束小切手ＣＫＢの上面側から小切手ＣＫを１枚ずつに分離し、後方のアライナ部１３に順次引き渡していく。
【００２５】
鑑別部としてのアライナ部１３は、主に前後方向に沿った搬送経路でなる第１搬送路Ｗ１を内部に構成しており、この第１搬送路Ｗ１に沿って、複数の搬送ローラ対が所定間隔ごとに配置されると共に、小切手ＣＫの状態を鑑別（検知）するための複数のセンサ等が配置されている。
【００２６】
このアライナ部１３は、各センサから検知結果を取得しながら、各搬送ローラを適宜回転させる。これによりアライナ部１３は、分離部１２から受け取った小切手ＣＫをこの第１搬送路Ｗ１に沿って後方へ順次搬送し、さらに該小切手ＣＫを右方向へ幅寄せした上で、後方及び下方に配置されたスキャナ部１４に引き渡す。説明の都合上、以下ではアライナ部１３において、後方向を搬送方向とも呼び、また左右方向を幅方向とも呼ぶ。
【００２７】
スキャナ部１４は、主に上下方向に沿った搬送経路でなる第２搬送路Ｗ２の下端と、主に前後方向に沿った第３搬送路Ｗ３の後端と、主に上下方向に沿った第４搬送路Ｗ４の上端とが第１切替部１５を介して互いに接続されている。このスキャナ部１４には、各搬送路に沿って、アライナ部１３の各搬送ローラ対と同様に構成された搬送ローラ対が適宜配置されている。
【００２８】
第２搬送路Ｗ２は、アライナ部１３の後側に接続され前後方向に沿った短い部分と、上下方向に沿った部分とにより構成されており、該アライナ部１３から受け取った小切手ＣＫを第１切替部１５へ搬送する。第１切替部１５は、いわゆる３ウェイの切替器となっており、制御部３の制御に基づいて、第２搬送路Ｗ２及び第３搬送路Ｗ３を接続し、又は第３搬送路Ｗ３及び第４搬送路Ｗ４を接続し、或いは第２搬送路Ｗ２及びＷ４を接続する。例えば制御部３は、入金取引において第１切替部１５において第２搬送路Ｗ２及び第３搬送路Ｗ３を接続することにより、該第２搬送路Ｗ２により搬送されてきた小切手ＣＫを第３搬送路Ｗ３に引き渡す。
【００２９】
第３搬送路Ｗ３は、アライナ部１３のほぼ真下に位置しており、第１切替部１５から受け取った小切手ＣＫを前方へ搬送しながら、該小切手ＣＫからＭＩＣＲ（Magnetic Ink Character Recognition）方式の文字を読み取り、また該小切手ＣＫの両面をそれぞれ撮像して画像データを生成した上で、前下方のエスクロ部１６に引き渡す。
【００３０】
エスクロ部１６は、バンドル部１１のほぼ真下に配置されており、その内部に回転するドラムや該ドラムの周側面に巻き付けるテープ、及び小切手ＣＫを搬送するための搬送部等を有している。このエスクロ部１６は、第３搬送路Ｗ３から受け取った小切手ＣＫをドラムの周側面近傍へ搬送し、テープと共にドラムの周側面に順次巻き付けることにより、該小切手ＣＫを一時的に保留していく。説明の都合上、ここまでの一連の処理を入金読取処理と呼ぶ。
【００３１】
制御部３は、バンドル部１１に挿入された全ての小切手ＣＫをスキャナ部１４により読み取り終えると、読み取った内容を表す画像や文字等を表示部（図示せず）に表示すると共に、利用者に入金取引を継続するか否かを問い合わせる。
【００３２】
ここで利用者から入金取引の中止が指示されると、制御部３は、返却処理を行う。すなわち制御部３は、エスクロ部１６に保留している全ての小切手ＣＫを第３搬送路Ｗ３、第２搬送路Ｗ２及び第１搬送路Ｗ１に沿って分離部１２へ搬送して集積し、束小切手ＣＫＢを形成して利用者に取り出させる。このとき制御部３は、バンドル部１１に組み込まれたセンサにより束小切手ＣＫＢが取り出されたことを検知した場合、該束小切手ＣＫＢが利用者に返却されたものと判断して返却処理を終了する。
【００３３】
一方、バンドル部１１において所定時間内に束小切手ＣＫＢが取り出されなかった場合、制御部３は、利用者が束小切手ＣＫＢを取り出さずに立ち去ったと判断し、この束小切手ＣＫＢを取り込む取忘取込処理により内部へ取り込む。このとき制御部３は、第１切替部１５により第２搬送路Ｗ２及び第４搬送路Ｗ４を接続する。
【００３４】
第４搬送路Ｗ４の下側には、後中搬送部１７が設けられている。この後中搬送部１７には、第４搬送路Ｗ４の真下に配置された第２切替部１８と、主に上下方向に沿った搬送経路でなる第５搬送路Ｗ５とが設けられている。このうち第２切替部は、第４搬送路Ｗ４の接続先を第５搬送路Ｗ５又は前方のリトラクト部１９に切り替えるようになっている。制御部３は、この取忘取込処理において第４搬送路Ｗ４をリトラクト部１９と接続させることにより、利用者が取り忘れた小切手ＣＫを第１搬送路Ｗ１、第２搬送路Ｗ２及び第４搬送路Ｗ４に沿って搬送し、該リトラクト部１９に収納させる。
【００３５】
一方、制御部３は、入金読取処理によってエスクロ部１６に全ての小切手ＣＫを保留した状態で、利用者から入金取引の継続が指示されると、保留している小切手ＣＫを収納する収納処理を開始する。具体的にエスクロ部１６は、ドラムを逆回転させることにより保留していた小切手ＣＫを１枚ずつ繰り出し、スキャナ部１４に引き渡していく。
【００３６】
スキャナ部１４は、エスクロ部１６から順次受け取った小切手ＣＫを第３搬送路Ｗ３に沿って後方へ搬送しながら、内蔵するプリンタやスタンプ押印部により該小切手ＣＫに対し取引結果等を表す情報を印字し、印字後の小切手を撮像して印字状態を認識した上で、該小切手ＣＫを第１切替部１５に引き渡す。
【００３７】
このとき第１切替部１５は、制御部３の制御により前側の第３搬送路Ｗ３及び下側の第４搬送路Ｗ４を接続しており、第３搬送路Ｗ３に沿って搬送した小切手ＣＫを下方の後中搬送部１７に引き渡す。後中搬送部１７の第２切替部１８は、制御部３の制御により第４搬送路Ｗ４の接続先を第５搬送路Ｗ５に切り替えており、この小切手ＣＫを第５搬送路Ｗ５に沿って下方及び前方へ搬送し、その前下側に設けられた第１スタッカ部２０Ａに引き渡す。
【００３８】
第１スタッカ部２０Ａは、第６搬送路Ｗ６に沿って小切手ＣＫを搬送する搬送機構や、多数の小切手ＣＫを集積した状態で収納するスタッカ、及び該スタッカ内へ小切手ＣＫを押し込むプッシャ等を有している。この第１スタッカ部２０Ａは、後中搬送部１７から小切手ＣＫを受け取ると、制御部３の制御に応じて、該小切手ＣＫをスタッカ内に押し込んで集積した状態で収納し、或いは該小切手ＣＫを前方の第２スタッカ部２０Ｂへ引き渡す。第２スタッカ部２０Ｂは、第１スタッカ部２０Ａと同様に構成されており、該第１スタッカ部２０Ａから小切手ＣＫを受け取ると、制御部３の制御に応じて、第７搬送路Ｗ７に沿って小切手ＣＫを搬送し、スタッカ内に押し込み、集積した状態で収納する。
【００３９】
かくして制御部３は、エスクロ部１６に保留していた全ての小切手ＣＫを第１スタッカ部２０Ａ又は第２スタッカ部２０Ｂのスタッカ内に収納させると、収納処理を終了する。これにより制御部３は、利用者との間における小切手ＣＫの入金取引を完了する。
【００４０】
［１−２．アライナ部の構成及び動作］
次に、アライナ部１３の詳細な構成について、図２（Ａ）及び（Ｂ）に示す平面図及び左側面図を参照しながら説明する。なお図２（Ａ）及び（Ｂ）は、一部の部品を省略し、或いは簡略化している。
【００４１】
鑑別部としてのアライナ部１３は、下面が平坦に形成された平板状の上搬送ガイド３１と、該上搬送ガイド３１の下側において該上搬送ガイド３１と対向する下搬送ガイド３２との間に、分離部１２から続く第１搬送路Ｗ１を前後方向に沿って形成している。因みに下搬送ガイド３２の左端及び右端には、幅方向ガイドとしての左搬送ガイド３３及び右搬送ガイド３４が設けられており、第１搬送路Ｗ１における左側及び右側に関して、小切手ＣＫを移動させる範囲をそれぞれ規制している。
【００４２】
すなわちアライナ部１３は、上搬送ガイド３１の下面である上案内面３１Ｓと、下搬送ガイド３２の上面である下案内面３２Ｓと、左搬送ガイド３３の右面である左案内面３３Ｓと、右搬送ガイド３４の左面である右案内面３４Ｓとにより、小切手ＣＫを搬送するための搬送空間３０を形成している。
【００４３】
またアライナ部１３は、主に右搬送ガイド３４よりも右側に、すなわち搬送空間３０よりも右側に、各種ギアや配線部材、或いはモータ等の各種部品（図示せず）が配置されている。その一方でアライナ部１３は、左搬送ガイド３３よりも左側には、極力部品が配置されないようになっている。因みに分離部１２やスキャナ部１４等、小切手処理装置１内における各部においても、同様に部品が主に右側に配置されている。
【００４４】
このためアライナ部１３では、保守作業者を左側に位置させることにより、該保守作業者による上搬送ガイド３１や下搬送ガイド３２等に対する保守作業を、各部品等により極力阻害せずに行わせることができる。すなわちアライナ部１３では、左側に位置する保守作業者により、搬送空間３０内にある小切手ＣＫ、上搬送ガイド３１及び下搬送ガイド３２に取り付けられている各部品を容易に目視させ、或いは指先や工具等を容易に到達させること、すなわち容易にアクセスさせることができる。
【００４５】
そこで以下では、アライナ部１３の左側面を保守面とも呼び、アライナ部１３の右側面を非保守面とも呼ぶ。この保守面は、後方向（すなわち搬送方向）と平行であり、上案内面３１Ｓ及び下案内面３２Ｓと交差（直交）している。因みに小切手処理装置１（図１）では、アライナ部１３以外の各部においても、左側面を保守面と呼び、右側面を非保守面と呼ぶ。
【００４６】
アライナ部１３には、前方から後方へ向けて、３組の搬送ローラ対４１と２組の幅寄せローラ対４２が所定の間隔を空けながら交互に配置されている。また上搬送ガイド３１及び下搬送ガイド３２には、各搬送ローラ対４１及び各幅寄せローラ対４２とそれぞれ対応する箇所に、各ローラを搬送空間３０内へ露出させるための孔部が適宜形成されている。
【００４７】
搬送ローラ対４１は、第１搬送路Ｗ１の下側及び上側に、中心軸を左右方向に向けて該中心軸を中心に回転可能な駆動ローラ及び従動ローラにより構成されている。駆動ローラは、その上端近傍を下案内面３２Ｓから上方へ僅かに突出させており、所定の駆動力源から供給される駆動力により回転する。従動ローラは、所定の付勢部材により駆動ローラに押し付けられ、その下端近傍を上案内面３１Ｓから下方へ僅かに突出させており、周側面を該駆動ローラと当接させることにより従動する。
【００４８】
これにより搬送ローラ対４１は、例えば第１搬送路Ｗ１に沿って前方から搬送されてくる小切手ＣＫに対し、後方向へ向かう駆動力を伝達して後方へ進行させること、すなわち搬送方向へ搬送することができる。
【００４９】
また搬送ローラ対４１は、所定の伝達状態切替機構により、制御部３の制御に基づき、従動ローラを駆動ローラに押し付けることにより小切手ＣＫに駆動力を伝達する伝達状態と、該従動ローラを該駆動ローラから引き離すことにより小切手ＣＫに駆動力を伝達しない非伝達状態とを切り替えることができる。
【００５０】
幅寄せローラ対４２は、搬送ローラ対４１と概ね同様に構成されているものの、各ローラの中心軸が右前側及び左後側を結ぶ斜め方向に沿っている（図２（Ａ））。このため幅寄せローラ対４２は、小切手ＣＫが搬送されてくると、この小切手ＣＫを右斜め前方へ進行させること、すなわち小切手ＣＫを右方向へ寄せること（幅寄せ）を行いながら、搬送方向である後方向へ進行させることができる。
【００５１】
アライナ部１３では、この幅寄せを行うことにより、小切手ＣＫの右辺を右搬送ガイド３４に当接させ、若しくは極めて近接させるようになっている。説明の都合上、以下では右搬送ガイド３４の左側面である右案内面３４Ｓを基準面とも呼び、また後斜め右方向を他方向とも呼ぶ。
【００５２】
さらにアライナ部１３には、各搬送ローラ対４１及び各幅寄せローラ対４２の間に、第１センサ４６、重送検知センサ４７及び監視センサ４８がそれぞれ設けられている。また右搬送ガイド３４の近傍には、前後方向に離散した３箇所に、幅寄せ完了検知センサ４９がそれぞれ設けられている。
【００５３】
第１センサ４６は、所定の検知光を発光する発光素子及びこの検知光を受光する受光素子を有しており、該受光素子により検知光の受光強度に応じた検知信号を生成して制御部３へ供給する。この第１センサ４６における検知光の光軸は、最も前方に位置する搬送ローラ対４１の後側（すなわち下流側）において、第１搬送路Ｗ１を上下方向に横切っている。このため、第１センサ４６において検知光が遮光された場合、分離部１２から繰り出された小切手ＣＫを検知したことを意味する。
【００５４】
重送検知センサ４７は、超音波の送信部及び受信部を第１搬送路Ｗ１の上側及び下側に分けて配置しており、この超音波の受信結果を表す検知信号を制御部３へ供給する（詳しくは後述する）。これに応じて制御部３は、この検知信号を基に、小切手ＣＫが１枚ずつに分離されたか、或いは２枚以上が重ねて搬送された状態であるか、すなわち重送されているかを判断するようになっている。
【００５５】
監視センサ４８は、第１センサ４６等と同様の発光素子及び受光素子を有しており、該受光素子により検知光の受光強度に応じた検知信号を生成して制御部３へ供給する。また監視センサ４８は、前側の幅寄せローラ対４２よりも後側に位置している。このためアライナ部１３では、監視センサ４８において検知光が遮光された場合、この幅寄せローラ対４２により挟持可能な位置に小切手ＣＫが到達したことを意味する。
【００５６】
各幅寄せ完了検知センサ４９は、第１センサ４６等と同様に構成されているものの、検知光の光軸が右搬送ガイド３４における右案内面３４Ｓの僅かに左側を上下方向に横切るように、その位置が調整されている。
【００５７】
このため、各幅寄せ完了検知センサ４９から検知信号を取得する制御部３は、例えば２個以上の幅寄せ完了検知センサ４９において同時に小切手ＣＫを検知した場合（すなわち検知光が遮光された場合）、該小切手ＣＫの右辺が右搬送ガイド３４にほぼ当接しており、該小切手ＣＫの幅寄せを完了したと判断する。
【００５８】
因みに上搬送ガイド３１及び下搬送ガイド３２には、各センサの検知光や超音波を通過させる箇所に、所定形状の孔部が設けられており、この検知光や超音波を遮ることなく通過させるようになっている。
【００５９】
次に、入金読取処理におけるアライナ部１３の基本的な動作について説明する。アライナ部１３は、分離部１２（図１）から繰り出された小切手ＣＫを各搬送ローラ対４１により後方へ、すなわち搬送方向へ搬送する。ここで制御部３は、第１センサ４６により小切手ＣＫを検知すると、分離部１２から新たな小切手ＣＫが繰り出されたものと見なし、該小切手ＣＫを後方へ搬送しながら基準面へ幅寄せする幅寄せ搬送処理を開始する。
【００６０】
具体的にアライナ部１３は、搬送ローラ対４１を伝達状態に遷移させ、各幅寄せローラ対４２を非伝達状態に遷移させる。また制御部３は、重送検知センサ４７の動作を開始させ、該重送検知センサ４７から得られる検知信号を基に、小切手ＣＫが正常に１枚ずつに分離されているか否かを判定する。
【００６１】
ここでアライナ部１３は、小切手ＣＫが２枚以上重ねて繰り出されていた場合、すなわち重送されていた場合、搬送ローラ対４１を逆転させて、この小切手ＣＫを分離部１２内へ戻し、再度分離処理を行わせる。またアライナ部１３は、小切手ＣＫが１枚ずつに正常に分離されていた場合、該小切手ＣＫの後方への搬送を継続する。
【００６２】
やがてアライナ部１３は、監視センサ４８により小切手ＣＫの先端が前側の幅寄せローラ対４２よりも下流側に到達したことを検知すると、該小切手ＣＫの搬送方向を後方向から後ろ斜め右方向に切り替え、幅寄せ動作を開始する。
【００６３】
具体的にアライナ部１３は、搬送ローラ対４１の一部を伝達状態から非伝達状態に遷移させる一方、各幅寄せローラ対４２を非伝達状態から伝達状態に遷移させる。これによりアライナ部１３は、小切手ＣＫを後斜め右方向へ進行させること、すなわち幅寄せすることができる。
【００６４】
このときアライナ部１３は、幅寄せ完了検知センサ４９から得られる検知信号を基に、２個以上の幅寄せ完了検知センサ４９において小切手ＣＫを検知した段階で、小切手ＣＫの幅寄せを完了したものと判断し、該小切手ＣＫの搬送方向を後斜め右方向から後方向に切り替えて、すなわち元の状態に戻して、幅寄せ動作を完了する。
【００６５】
［１−３．重送検知センサの構成及び動作］
次に、重送検知センサ４７の構成について、図３の斜視図並びに図４（Ａ）及び（Ｂ）の前側面図及び左側面図を参照しながら説明する。検知部としての重送検知センサ４７は、また第１搬送路Ｗ１よりも上側に設けられた送信部５１と、該第１搬送路Ｗ１よりも下側に設けられた受信部５２とにより構成されている。
【００６６】
送信体としての送信部５１は、全体として円柱状に形成されており、制御部３の制御に基づき、下面５１Ｂから下方へ向けて所定の周波数でなる超音波を発射するようになっている。説明の都合上、以下では、超音波を媒体検知波とも呼ぶ。
【００６７】
この送信部５１は、下面５１Ｂを右側に傾斜させている。このため、送信部５１の円柱形状における中心軸を表す仮想的な直線Ｘ１が、鉛直方向に沿っておらず、上側を左に向けると共に下側を右に向けるように傾斜させている。この直線Ｘ１のうち送信部５１の下面５１Ｂから下方に伸びた部分は、送信部５１から発射される超音波が進行するときの経路を表している。送信部５１は、この傾斜した姿勢で、送信回路基板５３等を介して上搬送ガイド３１に取り付けられている。
【００６８】
下検知部及び受信体としての受信部５２は、送信部５１と同様の円柱状に形成されており、その上面５２Ｔを超音波が到来する方向に向けて、該超音波を受信するようになっている。この受信部５２は、円柱形状における中心軸が送信部５１における仮想的な中心軸を表す直線Ｘ１と一致した姿勢で、受信回路基板５４等を介して下搬送ガイド３２に取り付けられている。すなわち受信部５２は、上面５２Ｔを鉛直方向に対して左側である保守面側に傾斜させている。換言すると、上面５２Ｔは、下案内面３２Ｓに対して保守面側に傾斜している。説明の都合上、以下では上面５２Ｔを媒体検知面とも呼ぶ。
【００６９】
また上搬送ガイド３１における送信部５１の下側であって、超音波が通過する部分には、丸孔でなる上通過孔３１Ｈが穿設されている。これと同様に、下搬送ガイド３２における受信部５２の上側であって、超音波が通過する部分には、丸孔でなる下通過孔３２Ｈが穿設されている。因みに上通過孔３１Ｈ及び下通過孔３２Ｈは、何れも搬送空間３０における左右方向の中央付近にそれぞれ配置されている。
【００７０】
このため重送検知センサ４７は、送信部５１から出射された超音波を上搬送ガイド３１により減衰させることなく、搬送空間３０内に到達させることができる。また重送検知センサ４７は、搬送空間３０から下方へ進行しようとする超音波を下搬送ガイド３２により減衰させることなく、受信部５２の上面５２Ｔに到達させることができる。
【００７１】
かかる構成により重送検知センサ４７は、制御部３の制御に基づき、送信部５１の下面５１Ｂから所定の周波数でなる超音波を斜め下方へ向けて、すなわち直線Ｘ１に沿った方向へ出射する。この超音波は、搬送空間３０内を直線Ｘ１に沿った方向へ進行し、該搬送空間３０内に小切手ＣＫがあればこの小切手ＣＫにより減衰された上で、受信部５２の上面５２Ｔに到達して受信される。受信部５２は、受信した超音波の強度に応じた信号レベルの検知信号を生成し、これを制御部３へ供給する。
【００７２】
一般に超音波は、小切手ＣＫのような紙葉状の媒体を通過することにより減衰するが、その厚さや枚数に応じて減衰量が相違する。すなわちアライナ部１３では、搬送されている小切手ＣＫの厚さや重なっている枚数に応じて、受信部５２に到達する超音波の減衰度合が変化することになる。
【００７３】
そこで制御部３は、重送検知センサ４７から検知信号（以下これを鑑別結果とも呼ぶ）を取得すると、その信号レベルの絶対値や経時的な変化等を基に、搬送されている小切手ＣＫが１枚のみであるか、２枚以上であるかを判断する。そのうえで制御部３は、小切手ＣＫが１枚のみであれば、アライナ部１３に対して、該小切手ＣＫの搬送方向（すなわち後方向）への進行を継続すると共に幅寄せを行わせ、該小切手ＣＫが２枚以上重なっていれば、前方へ逆送させて分離部１２へ戻し、再び分離処理を行わせる。
【００７４】
［１−４．効果等］
以上の構成において、第１の実施の形態による小切手処理装置１のアライナ部１３では、重送検知センサ４７における受信部５２の上面５２Ｔを保守面側に傾斜させた（図３及び図４）。このためアライナ部１３では、保守面側に位置する保守作業者に対して、受信部５２の上面５２Ｔを向けることができる。
【００７５】
これによりアライナ部１３は、保守面側に位置する保守作業者に対して、他の部品等に殆ど妨げられること無く、重送検知センサ４７における受信部５２の上面５２Ｔを容易に目視させること、すなわち埃や紙粉等の堆積物が堆積している状態を確認させることができる。またアライナ部１３は、保守面側に位置する保守作業者に対して、他の部品等に殆ど妨げられること無く、清掃治具等を保守面側から上面５２Ｔに容易に近接させることができる。
【００７６】
この結果、アライナ部１３では、保守面側に位置する保守作業者に対して、重送検知センサ４７における受信部５２の上面５２Ｔに関して、堆積物の状態を容易に確認させることができ、またこの堆積物を清掃治具等により容易に清掃させることができる。
【００７７】
また重送検知センサ４７は、受信部５２の上面５２Ｔが水平方向に対して傾斜しているため、該上面５２Ｔに堆積しようとする埃や紙粉等を積極的に滑り落とさせることができる。これにより重送検知センサ４７では、該上面５２Ｔに対する埃や紙粉等の堆積量を抑えることができる。
【００７８】
さらに重送検知センサ４７は、受信部５２に加えて送信部５１も鉛直方向に対して傾斜させ、両者の中心軸を仮想的な直線Ｘ１に一致させた。このため重送検知センサ４７は、送信部５１から出射される超音波のうち最も強度が高い部分を受信部５２の上面５２Ｔに向けることができ、その結果として小切手ＣＫにおける重送の検知精度を高めることができる。
【００７９】
以上の構成によれば、第１の実施の形態による小切手処理装置１は、アライナ部１３の重送検知センサ４７において、受信部５２の上面５２Ｔを保守面側に傾斜させた。このためアライナ部１３では、受信部５２の上面５２Ｔを保守面側に位置する保守作業者側に向けることができるので、上面５２Ｔにおける堆積物の状態を容易に確認させることができ、またこの堆積物を清掃治具等により容易に清掃させることができる。
【００８０】
［２．第２の実施の形態］
第２の実施の形態による小切手処理装置１０１（図１）は、第１の実施の形態による小切手処理装置１と比較して、アライナ部１３に代わるアライナ部１１３を有する点において相違するものの、他の点については同様に構成されている。
【００８１】
アライナ部１１３（図２）は、第１の実施の形態によるアライナ部１３と比較して、図５（Ａ）に模式図を示すように、左搬送ガイド３３に代えて左搬送ガイド１３３を有すると共に、回動部１３５及びステー１３６を有する点において相違するもの、他の点については同様に構成されている。
【００８２】
下保守側板としての左搬送ガイド１３３は、第１の実施の形態による左搬送ガイド３３と比較して、清掃孔１３３Ｈが穿設されている点において相違するものの、他の点については同様に構成されている。保守孔としての清掃孔１３３Ｈは、重送検知センサ４７における受信部５２の左側に位置しており、左右方向に貫通されている。
【００８３】
状態遷移部としての回動部１３５は、上搬送ガイド３１に取り付けられた上軸受部と、下搬送ガイド３２に取り付けられた下軸受部と、左右方向に沿った細長い円柱状の部材でなる回動軸とにより構成されている。このうち上軸受部及び下軸受部は、何れも左右方向に貫通する丸孔でなる軸孔が穿設されている。回動軸は、上軸受部及び下軸受部の軸孔にそれぞれ挿通されている。このため回動部１３５は、回動軸を中心として、下搬送ガイド３２に対し上搬送ガイド３１を回動させることができる。
【００８４】
すなわちアライナ部１１３は、図５（Ａ）に示したように、上搬送ガイド３１を下搬送ガイド３２の上側に重ねて上案内面３１Ｓを下案内面３２Ｓに対向させた状態（以下これを対向状態と呼ぶ）において、上案内面３１Ｓを下案内面３２Ｓの上側に対向させ、両者の間に搬送空間３０を形成することができる。このときアライナ部１１３では、保守作業者が下案内面３２Ｓ等を外部から目視することが極めて困難となる。
【００８５】
またアライナ部１１３は、対向状態から上搬送ガイド３１の後側部分が上斜め前方へ持ち上げられて回動すると、図５（Ｂ）に示すように、上案内面３１Ｓを下案内面３２Ｓから引き離して対向させない状態（以下これを非対向状態と呼ぶ）とすることができる。このときアライナ部１１３では、保守面側に位置する保守作業者に対し、下案内面３２Ｓ等を斜め上方から目視させることができる。
【００８６】
保持体としてのステー１３６は、左右方向に薄い板状部材であり、丸孔でなる軸孔１３６Ａや、長孔でなるスライド孔１３６Ｂが穿設されている。このうち軸孔１３６Ａには、上搬送ガイド３１の左側面に立設された円柱状の軸体１３７が挿通されている。またスライド孔１３６Ｂには、下搬送ガイド３２側と一体の左搬送ガイド１３３における左側面に立設された円柱状のスライド軸１３８が挿通されている。
【００８７】
かかる構成によりステー１３６は、図５（Ａ）及び（Ｂ）に示したように、上搬送ガイド３１の回動に伴い、スライド軸１３８をスライド孔１３６Ｂ内で移動させながら、軸体１３７を中心として回動する。
【００８８】
さらにステー１３６は、形状や大きさ等が適切に設計されることにより、図５（Ａ）に示したように、対向状態において、平板状の被覆部１３６Ｃにより左搬送ガイド１３３の清掃孔１３３Ｈを覆う。これによりアライナ部１１３は、左搬送ガイド１３３の左側（すなわち保守面側）の空間から清掃孔１３３Ｈを介して重送検知センサ４７における受信部５２の近傍に埃等が到達することを効果的に抑止できる。
【００８９】
その一方でステー１３６は、図５（Ｂ）に示したように、非対向状態において、被覆部１３６Ｃを左搬送ガイド１３３の清掃孔１３３Ｈから引き離し、該清掃孔１３３Ｈを左側に露出させる。これによりアライナ部１１３では、図６に模式的な斜視図を示すように、保守面側に位置する保守作業者により、清掃孔１３３Ｈを介して清掃治具Ｚ１を左搬送ガイド１３３の左側から挿入させ、この清掃治具Ｚ１を重送検知センサ４７における受信部５２の近傍に到達させ、その上面５２Ｔを清掃させることができる。
【００９０】
因みにステー１３６には、スライド孔１３６Ｂの一部でなる状態保持部１３６ＢＫが形成されている。アライナ部１１３は、保守作業者の手作業等により上搬送ガイド３１が回動されて非対向状態に遷移されると、スライド軸１３８がスライド孔１３６Ｂ内を移動して状態保持部１３６ＢＫに到達すると共に、そのままでは該状態保持部１３６ＢＫから離脱できなくなり、非対向状態（図５（Ｂ））を維持する。
【００９１】
またアライナ部１１３は、この非対向状態において保守作業者によりステー１３６に所定方向の力が加えられると、スライド軸１３８が状態保持部１３６ＢＫから離脱され、該スライド軸１３８をスライド孔１３６Ｂに沿って移動させながら上搬送ガイド３１を回動させ、対向状態（図５（Ａ））に遷移する。
【００９２】
その他の点においても、アライナ部１１３は、第１の実施の形態によるアライナ部１１３と同様の作用効果を奏し得る。
【００９３】
以上の構成によれば、第２の実施の形態による小切手処理装置１０１のアライナ部１１３は、重送検知センサ４７において、受信部５２の上面５２Ｔを保守面側に傾斜させた。これに加えてアライナ部１１３は、左搬送ガイド１３３における受信部５２の左側に清掃孔１３３Ｈを形成し、さらに該清掃孔１３３Ｈをステー１３６により被覆し、或いは開放するようにした。このためアライナ部１１３では、非対向状態において、保守面側に位置する保守作業者により、下案内面３２Ｓ及び上案内面３１Ｓの間から、該保守面側に向けられた上面５２Ｔにおける堆積物の状態を容易に確認させることができる。またアライナ部１１３では、非対向状態において、開放された清掃孔１３３Ｈを介して、保守作業者により保守面側から清掃治具Ｚ１等を受信部５２の近傍に到達させ、上面５２Ｔを容易に清掃させることができる。
【００９４】
［３．第３の実施の形態］
第３の実施の形態による小切手処理装置２０１（図１）は、第１の実施の形態による小切手処理装置１と比較して、アライナ部１３に代わるアライナ部２１３を有する点において相違するものの、他の点については同様に構成されている。
【００９５】
アライナ部２１３（図２）は、第１の実施の形態によるアライナ部１３と比較して、上搬送ガイド３１及び下搬送ガイド３２に代わる上搬送ガイド２３１及び下搬送ガイド２３２を有する点において相違するものの、他の点については同様に構成されている。
【００９６】
下搬送ガイド２３２は、図７に平面図を示すように、左側に左搬送ガイド３３が取り付けられると共に、右側に右搬送ガイド３４が取り付けられている。左搬送ガイド３３及び右搬送ガイド３４は、左右方向（すなわち幅方向）に関して小切手ＣＫの位置を、左案内面３３Ｓ及び右案内面３４Ｓにより挟まれた一定の範囲（以下これを幅方向範囲とも呼ぶ）内に規制することになる。換言すれば、左搬送ガイド３３及び右搬送ガイド３４は、搬送空間３０における左右方向の範囲を規定している。
【００９７】
また下搬送ガイド２３２には、重送検知センサ４７の受信部５２と対応する位置に、下通過孔２３２Ｈが形成されている。下通過孔２３２Ｈは、搬送空間３０における左右方向のほぼ中央に位置している。
【００９８】
説明の都合上、以下では、左搬送ガイド３３の左案内面３３Ｓから右搬送ガイド３４の右案内面３４Ｓまでの距離、すなわち搬送空間３０における左右方向の長さを距離Ｌ０と呼ぶ。また、下通過孔２３２Ｈの左端及び右端をそれぞれ下通過孔左端２３２ＨＬ及び下通過孔右端２３２ＨＲと呼び、両者の間隔を距離ＬＨと呼ぶ。下搬送ガイド２３２では、下通過孔２３２Ｈが円形に形成されているため、下通過孔左端２３２ＨＬ及び下通過孔右端２３２ＨＲの距離ＬＨが、該下通過孔２３２Ｈの直径に相当する。
【００９９】
重送検知センサ４７では、送信部５１から出射される超音波が、円柱状のビームとして、すなわち円形でなるほぼ一定の投影面を描きながら進行する。そこでアライナ部２１３では、送信部５１から出射される超音波における投影面の大きさに合わせて、下通過孔２３２Ｈの大きさが定められている。
【０１００】
具体的にアライナ部２１３では、下通過孔２３２Ｈの直径である距離ＬＨが、送信部５１から出射される超音波におけるビームの直径とほぼ同等ないし僅かに大きくすることにより、超音波を遮ることなく、該下通過孔２３２Ｈから受信部５２の上面５２Ｔに落下する埃や異物等をできるだけ少なく抑えている。
【０１０１】
ここで、アライナ部２１３において、小切手ＣＫが重送検知センサ４７の近傍を搬送され、該重送検知センサ４７の送信部５１から出射された超音波が小切手ＣＫを通過して減衰された後、受信部５２によって受信される様子を模式化すると、図８のように表すことができる。この図８では、超音波を矢印により概念的に表しており、その幅が強度を表すものとする。
【０１０２】
例えば図８（Ａ）は、１枚の小切手ＣＫが超音波のビームにおける全範囲を横切った状態、すなわち超音波の全範囲が小切手ＣＫに照射された状態を表している。このときアライナ部２１３では、送信部５１から出射された超音波ＳＳＷ０の全てが小切手ＣＫに照射されて減衰され、強度が低下された超音波ＳＳＷ１となって受信部５２により受信される。これを換言すれば、受信部５２に到達した超音波は、全範囲が小切手ＣＫに照射され、該小切手ＣＫを通過している。この結果、受信部５２において生成される検知信号の信号レベルＬＶＡは、例えば図９に示す信号レベル分布図において、所定の位置にプロットされる。
【０１０３】
一方、図８（Ｃ）は、２枚の小切手ＣＫが重送された状態で超音波のビームにおける全範囲を横切った状態、すなわち超音波の全範囲が２枚の小切手ＣＫに照射された状態を表している。このときアライナ部２１３では、送信部５１から出射された超音波ＳＳＷ０の全てが２枚の小切手ＣＫに照射され、超音波ＳＳＷ１よりも強度が十分に低い超音波ＳＳＷ２となって受信部５２により受信される。これを換言すれば、やはり受信部５２に到達した超音波は、全範囲が２枚の小切手ＣＫに照射され、各小切手ＣＫにより順次減衰されている。この結果、受信部５２において生成される検知信号の信号レベルＬＶＣは、図９において、信号レベルＬＶＡよりも小さい値を表す位置にプロットされる。
【０１０４】
そこで小切手処理装置２０１の制御部３では、信号レベルＬＶＡ及び信号レベルＬＶＣの間に閾値ＴＨを設定している。具体的に制御部３は、受信部５２から得られた検知信号の信号レベルを閾値ＴＨと比較し、該信号レベルが該閾値ＴＨ以上であれば小切手ＣＫが１枚であると判断し、該信号レベルが該閾値ＴＨ未満であれば小切手ＣＫが２枚以上である、すなわち重送されていると判断することができる。
【０１０５】
ところで図８（Ｂ）は、２枚の小切手ＣＫが重送されているものの、図８（Ｃ）とは異なり、超音波のビームにおける一部分のみを横切った状態、すなわち超音波における一部の範囲が小切手ＣＫに照射され、残りの部分が小切手ＣＫに照射されていない状態を表している。このときアライナ部２１３では、送信部５１から出射された超音波ＳＳＷ０のうち、小切手ＣＫに照射された部分が該小切手ＣＫを通過して減衰され超音波ＳＳＷ３となり、さらに小切手ＣＫに照射されなかった部分がそのまま減衰せずに超音波ＳＳＷ４となって、それぞれ受信部５２により受信される。これを換言すれば、受信部５２に到達した超音波は、一部の範囲が小切手ＣＫに照射されているものの、残りの部分が小切手ＣＫに照射されていない。
【０１０６】
この結果、受信部５２において生成される検知信号の信号レベルＬＶＢは、小切手ＣＫにより減衰されない超音波ＳＳＷ４の影響によって、図９における信号レベルＬＶＡに近い位置に、すなわち閾値ＴＨよりも高い位置にプロットされる。この場合、制御部３は、受信部５２から得られた検知信号の信号レベルが閾値ＴＨ以上となり、小切手ＣＫが１枚であると誤判断してしまう。
【０１０７】
そこでアライナ部２１３では、小切手ＣＫが搬送空間３０内において重送検知センサ４７の近傍を搬送されるときに、超音波の全範囲が小切手ＣＫを通過するように、すなわち超音波のうち受信部５２に到達する全範囲が該小切手ＣＫに照射されるように、該小切手ＣＫの大きさに対する各部の大きさが適切に設定されている。
【０１０８】
まず小切手処理装置２０１では、取り扱う小切手ＣＫの大きさ、すなわち長辺及び短辺の長さが、それぞれある程度の範囲に規定されている。説明の都合上、以下では、短辺の長さが最も短い小切手ＣＫを短辺最短小切手ＣＫＳ又は幅最短媒体と呼び、この短辺最短小切手ＣＫＳにおける短辺の長さを最短短辺長ＬＳ又は最短幅長と呼ぶ。
【０１０９】
下搬送ガイド２３２では、図７に実線及び破線で示したように、短辺最短小切手ＣＫＳが搬送空間３０内で最も左側に寄せられた状態、及び最も右側に寄せられた状態の何れにおいても、該短辺最短小切手ＣＫＳが下通過孔２３２Ｈの全範囲を覆うことができれば、図８（Ｂ）に示した状態を回避できる。
【０１１０】
すなわち下搬送ガイド２３２では、左案内面３３Ｓから下通過孔右端２３２ＨＲまでの距離Ｌ１と、右案内面３４Ｓから下通過孔左端２３２ＨＬまでの距離Ｌ２とが、何れも最短短辺長ＬＳよりも短ければ良い。このことを数式化すると、以下の（１）式及び（２）式のように表すことができる。
【０１１１】
Ｌ１≦ＬＳ    ……（１）
Ｌ２≦ＬＳ    ……（２）
【０１１２】
また、（１）式及び（２）式の左辺同士及び右辺同士をそれぞれ加算すると、次の（３）式が成立する。
【０１１３】
Ｌ１＋Ｌ２≦ＬＳ×２  ……（３）
【０１１４】
一方、下搬送ガイド２３２では、搬送空間３０における左右方向の長さである距離Ｌ０、上述した距離Ｌ１及びＬ２、並びに下通過孔２３２Ｈの直径に相当する距離ＬＨを用いると、次の（４）式が成立する。
【０１１５】
Ｌ０＝Ｌ１＋Ｌ２−ＬＨ  ……（４）
【０１１６】
この（４）式を適宜変形して（３）式に代入すると次の（５）式が得られ、この（５）式を整理すると（６）式が得られる。
【０１１７】
Ｌ１＋Ｌ２＝Ｌ０−ＬＨ≦ＬＳ×２  ……（５）
Ｌ０≦ＬＳ×２−ＬＨ              ……（６）
【０１１８】
そこでアライナ部２１３では、この（６）式が満たされるよう、短辺最短小切手ＣＫＳの最短短辺長ＬＳに応じて、下搬送ガイド２３２において搬送空間３０における左右方向の長さである距離Ｌ０や下通過孔２３２Ｈの直径に相当する距離ＬＨ等がそれぞれ適切に設定されている。
【０１１９】
またアライナ部２１３では、上搬送ガイド２３１においても、下搬送ガイド２３２と同様に（６）式が満たされるよう、各部の長さが適切に設計されている。
【０１２０】
このためアライナ部２１３では、小切手ＣＫが搬送空間３０内を搬送されて重送検知センサ４７の近傍を通過するときに、図８（Ａ）や（Ｃ）に示したように、該小切手ＣＫが超音波のビームにおける全範囲を横切り、超音波のうち受信部５２に到達する全範囲が該小切手ＣＫに照射される。これにより、重送検知センサ４７の受信部５２から検知信号を取得した制御部３では、アライナ部２１３を搬送されている小切手ＣＫが重送されているか否かを、極めて高精度に判断することができる。
【０１２１】
その他の点においても、アライナ部２１３は、第１の実施の形態によるアライナ部１３と同様の作用効果を奏し得る。
【０１２２】
以上の構成によれば、第３の実施の形態による小切手処理装置２０１のアライナ部２１３は、重送検知センサ４７において、受信部５２の上面５２Ｔを保守面側に傾斜させ、該保守面側に位置する保守作業者側に向けた。これによりアライナ部２１３は、上面５２Ｔにおける堆積物の状態を容易に確認させ、またこの堆積物を清掃治具等により容易に清掃させることができる。これに加えてアライナ部２１３は、（６）式を満たすように搬送空間３０における左右方向の長さである距離Ｌ０及び下通過孔２３２Ｈの直径である距離ＬＨを定めたことにより、重送検知センサ４７による重送の検知精度を格段に高めることができる。
【０１２３】
［４．第４の実施の形態］
第４の実施の形態による小切手処理装置３０１（図１）は、第１の実施の形態による小切手処理装置１と比較して、アライナ部１３に代わるアライナ部３１３を有する点において相違するものの、他の点については同様に構成されている。
【０１２４】
アライナ部３１３（図３および図４）は、第１の実施の形態によるアライナ部１３と比較して、上搬送ガイド３１及び下搬送ガイド３２に代わる上搬送ガイド３３１及び下搬送ガイド３３２を有する点において相違するものの、他の点については同様に構成されている。
【０１２５】
下搬送ガイド３３２は、図７と対応する図１０に平面図を示すように、第３の実施の形態による下搬送ガイド２３２と比較して、下通過孔２３２Ｈに代わる下通過孔３３２Ｈが形成されている点において相違するものの、他の点については同様に構成されている。
【０１２６】
下通過孔３３２Ｈは、第３の実施の形態における下通過孔２３２Ｈよりも一回り大きく形成されており、重送検知センサ４７の送信部５１から出射される超音波におけるビームの直径よりも十分に大きくなっている。このためアライナ部３１３では、上搬送ガイド３３１に対する送信部５１の取付位置に誤差等が生じたとしても、超音波を該上搬送ガイド３３１により遮ることを確実に回避できるようになっている。
【０１２７】
この第４の実施の形態では、超音波のビームが下搬送ガイド３３２における下案内面３２Ｓを通過するときの範囲を表す仮想的な円である通過範囲３３２Ｐに着目し、第３の実施の形態における下通過孔２３２Ｈをこの通過範囲３３２Ｐに置き換えた構成となっている。因みに通過範囲３３２Ｐは、超音波のビームを下案内面３２Ｓに投影した場合の投影範囲を表している。
【０１２８】
また第４の実施の形態では、第３の実施の形態における下通過孔左端２３２ＨＬ及び下通過孔右端２３２ＨＲ（図７）に代えて、通過範囲３３２Ｐの左端及び右端である通過範囲左端３３２ＰＬ及び通過範囲右端３３２ＰＲに着目する。この通過範囲左端３３２ＰＬ及び通過範囲右端３３２ＰＲの距離ＬＰは、通過範囲３３２Ｐの直径に相当する。
【０１２９】
この第４の実施の形態では、下搬送ガイド３３２（図１０）において、左案内面３３Ｓから通過範囲右端３３２ＰＲまでの距離Ｌ１１と、右案内面３４Ｓから通過範囲左端３３２ＰＬまでの距離Ｌ１２とが、何れも最短短辺長ＬＳよりも短くなっていれば良い。このことを数式化すると、上述した（１）式及び（２）式とそれぞれ対応する（７）式及び（８）式のように表すことができる。
【０１３０】
Ｌ１１≦ＬＳ    ……（７）
Ｌ１２≦ＬＳ    ……（８）
【０１３１】
さらに、第３の実施の形態における（３）式〜（６）式において、距離Ｌ１、Ｌ２及びＬＨを距離Ｌ１１、Ｌ１２及びＬＰにそれぞれ置き換えることにより、（６）式と対応する（９）式を得ることができる。
【０１３２】
Ｌ０≦ＬＳ×２−ＬＰ    ……（９）
【０１３３】
そこでアライナ部３１３では、この（９）式が満たされるよう、短辺最短小切手ＣＫＳの最短短辺長ＬＳに応じて、下搬送ガイド３３２において搬送空間３０における左右方向の長さである距離Ｌ０や通過範囲３３２Ｐの直径に相当する距離ＬＰ等がそれぞれ適切に設定されている。
【０１３４】
またアライナ部３１３では、上搬送ガイド３３１においても、下搬送ガイド３３２と同様に（９）式が満たされるよう、各部の長さが適切に設計されている。
【０１３５】
このためアライナ部３１３では、小切手ＣＫが搬送空間３０内を搬送されて重送検知センサ４７の近傍を通過するときに、第３の実施の形態と同様に、該小切手ＣＫが超音波のビームにおける全範囲を横切り、超音波のうち受信部５２に到達する全範囲が該小切手ＣＫに照射される（図８（Ａ）及び（Ｃ））。これにより、重送検知センサ４７の受信部５２から検知信号を取得した制御部３では、アライナ部３１３を搬送されている小切手ＣＫが重送されているか否かを、極めて高精度に判断することができる。
【０１３６】
その他の点においても、アライナ部３１３は、第１の実施の形態によるアライナ部１３と同様の作用効果を奏し得る。
【０１３７】
以上の構成によれば、第４の実施の形態による小切手処理装置３０１のアライナ部３１３は、重送検知センサ４７において、受信部５２の上面５２Ｔを保守面側に傾斜させ、該保守面側に位置する保守作業者側に向けた。これによりアライナ部３１３は、上面５２Ｔにおける堆積物の状態を容易に確認させ、またこの堆積物を清掃治具等により容易に清掃させることができる。これに加えてアライナ部３１３は、（９）式を満たすように搬送空間３０における左右方向の長さである距離Ｌ０及び通過範囲３３２Ｐの直径である距離ＬＰを定めたことにより、重送検知センサ４７による重送の検知精度を格段に高めることができる。
【０１３８】
［５．他の実施の形態］
なお上述した第１の実施の形態においては、送信部５１及び受信部５２の中心軸を表す仮想的な直線Ｘ１を、上側を保守面側（左側）に寄せると共に下側を非保守面側（右側）に寄せるように傾斜させる場合について述べた。しかしながら本発明はこれに限らず、例えば直線Ｘ１を、上側を保守面側且つ前側又は後側、すなわち左前側又は左後側に傾斜させる等、他の方向に傾斜させても良い。要は、少なくとも直線Ｘ１を保守面側寄りに傾斜させることにより、受信部５２の上面５２Ｔを下案内面３２Ｓよりも保守面側に傾斜させることができれば良い。第２〜第４の実施の形態についても同様である。
【０１３９】
また上述した第２の実施の形態においては、対向状態において清掃孔１３３Ｈをステー１３６の被覆部１３６Ｃにより覆う場合について述べた（図５（Ａ））。しかしながら本発明はこれに限らず、例えば上搬送ガイド３１の左側面部分から下方へ延設された板状部材（図示せず）により、対向状態において清掃孔１３３Ｈを被覆しても良い。また、被覆部１３６Ｃの右側面又は左搬送ガイド１３３側における清掃孔１３３Ｈの周囲にスポンジやモヘア等の部材を取り付け、ステー１３６を回動可能としながら両者の隙間を埋めるようにしても良い。或いは、非対向状態及び対向状態の何れにおいても、清掃孔１３３Ｈを覆わずに開放したままとしても良い。
【０１４０】
さらに上述した第２の実施の形態においては、回動部１３５によって下搬送ガイド３２に対し上搬送ガイド３１を回動させることにより、アライナ部１１３を対向状態又は非対向状態に遷移させる場合について述べた。しかしながら本発明はこれに限らず、例えば周知のリンク機構やスライド機構、或いはこれらの組合せ等を用いて、上搬送ガイド３１及び下搬送ガイド３２の少なくとも一方を回動若しくは変位等させ、対向状態又は非対向状態に遷移させるようにしても良い。これらの場合、例えばリンク部材等の変位若しくは回動等に伴い、対向状態において清掃孔１３３Ｈを閉塞するようにしても良い。
【０１４１】
さらに上述した第３の実施の形態においては、（６）式を満たすように下搬送ガイド２３２において搬送空間３０における左右方向の長さである距離Ｌ０や下通過孔２３２Ｈの直径に相当する距離ＬＨ等をそれぞれ適切に設定する場合について述べた（図７）。しかしながら本発明はこれに限らず、例えば（１）式及び（２）式を満たすように距離Ｌ１及びＬ２を定め、これらと距離ＬＨとを基に、（４）式に従って距離Ｌ０を設定しても良い。第４の実施の形態についても同様である。
【０１４２】
さらに上述した第１の実施の形態においては、上通過孔３１Ｈ及び下通過孔３２Ｈを、何れも搬送空間３０における左右方向の中央付近にそれぞれ配置する場合について述べた。しかしながら本発明はこれに限らず、上通過孔３１Ｈ及び下通過孔３２Ｈを、中央から左寄りや右寄りとなる位置に配置しても良い。要は、搬送される小切手ＣＫの枚数を適切に検知できれば良い。第２〜第４の実施の形態についても同様である。特に第３の実施の形態においては、（１）式、（２）式及び（６）式が満たされていれば良く、また第４の実施の形態においては（７）式、（８）式及び（９）式が満たされていれば良い。
【０１４３】
さらに上述した第１の実施の形態においては、送信部５１を搬送空間３０の上側に配置すると共に、受信部５２を下検知部として該搬送空間３０の下側に配置する場合について述べた。しかしながら本発明はこれに限らず、例えば受信部５２を該搬送空間３０の上側に配置すると共に、送信部５１を下検知部として搬送空間３０の下側に配置しても良い。この場合も、仮想的な中心軸を表す直線Ｘ１の上側が保守面側に傾斜していれば良い。第２〜第４の実施の形態についても同様である。
【０１４４】
さらに上述した第１の実施の形態においては、小切手ＣＫの枚数に応じて超音波の減衰度合が変化すること利用して、受信した超音波の強度を基に小切手ＣＫが重送されているか否かを検知する場合について述べた。しかしながら本発明はこれに限らず、例えば所定の波長でなる光や電磁波等（以下これも媒体検知波と呼ぶ）が小切手ＣＫを通過する度合が小切手ＣＫの枚数に応じて変化する場合に、受信した媒体検知波の強度を基に、小切手ＣＫが重送されているか否かを検知しても良い。この場合も、媒体検知波の仮想的な中心軸を表す直線の上側が保守面側に傾斜していれば良い。第２〜第４の実施の形態についても同様である。
【０１４５】
さらに上述した第１の実施の形態においては、搬送空間３０内を搬送される小切手ＣＫに対し、該搬送空間３０の上側に配置した送信部５１から出射された超音波を透過させ、該搬送空間３０の下側に配置した受信部５２により受信させる場合について述べた（図２〜図４）。しかしながら本発明はこれに限らず、例えば搬送空間３０の下側に配置した送信部５１から出射された光や電磁波等の媒体検知波を小切手ＣＫにより反射させ、該搬送空間３０の下側に配置した受信部５２によりこれを受信させても良い。第２〜第４の実施の形態についても同様である。
【０１４６】
さらに上述した第１の実施の形態においては、上搬送ガイド３１の上案内面３１Ｓ及び下搬送ガイド３２の下案内面３２Ｓを、何れもほぼ水平とする場合について述べた（図２及び図３）。しかしながら本発明はこれに限らず、例えば上案内面３１Ｓ及び下案内面３２Ｓを、前側が高く後側が低い傾斜面とする等、種々の方向に傾斜した傾斜面としても良い。第２〜第４の実施の形態についても同様である。
【０１４７】
さらに上述した第１の実施の形態においては、上搬送ガイド３１及び下搬送ガイド３２の間に搬送空間３０を形成し、この搬送空間３０内で小切手ＣＫを搬送方向である後方向へ搬送する場合について述べた。しかしながら本発明はこれに限らず、例えば上搬送ガイド３１を省略しても良い。この場合、搬送ローラ対４１により小切手ＣＫを第１搬送路Ｗ１（図１）に沿って搬送方向である後方向へ搬送できれば良い。
【０１４８】
さらに上述した第１の実施の形態においては、アライナ部１３において後方向を搬送方向とし、この後方向と平行な左側の面を保守面とし、その反対側を非保守面とする場合について述べた。しかしながら本発明はこれに限らず、例えば右側の面を保守面とし、左側の面を非保守面としても良い。或いは、小切手ＣＫを左右方向に沿って搬送する場合に、前側及び後側の一方を保守面とし他方を非保守面としても良い。要は、搬送方向と平行な何れかの面を保守面とすれば良い。第２〜第４の実施の形態についても同様である。
【０１４９】
さらに上述した第１の実施の形態においては、小切手ＣＫが重送されているか否かを検知する重送検知センサ４７に本発明を適用する場合について述べた。しかしながら本発明はこれに限らず、例えば小切手ＣＫの有無を検知するセンサや、小切手ＣＫの搬送速度と信号レベルが変化した時間とを基に該小切手ＣＫにおける搬送方向の長さを検知するセンサ等、小切手ＣＫに関する種々の値を検知するセンサに本発明を適用しても良い。第２〜第４の実施の形態についても同様である。
【０１５０】
さらに上述した第１の実施の形態においては、小切手を取り扱う小切手処理装置１に本発明を適用する場合について述べた。しかしながら本発明はこれに限らず、例えば紙幣や証券、或いは商品券等、種々の紙葉状の媒体を取り扱う種々の装置に本発明を適用しても良い。第２〜第４の実施の形態についても同様である。
【０１５１】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１５２】
さらに上述した第１の実施の形態においては、下搬送ガイドとしての下搬送ガイド３２と、搬送部としての搬送ローラ対４１と、検知部としての重送検知センサ４７とによって媒体鑑別装置としてのアライナ部１３を構成する場合について述べた。しかしながら本発明はこれに限らず、その他種々の構成でなる下搬送ガイドと、搬送部と、検知部とによって媒体鑑別装置を構成しても良い。
【産業上の利用可能性】
【０１５３】
本発明は、例えば顧客に投入された小切手から種々の情報を検知しながら搬送して入金取引を行う小切手処理装置でも利用できる。
【符号の説明】
【０１５４】
１、１０１、２０１、３０１……小切手処理装置、３……制御部、１１……バンドル部、１２……分離部、１３、１１３、２１３、３１３……アライナ部、１４……スキャナ部、３０……搬送空間、３１、２３１、３３１……上搬送ガイド、３１Ｈ……上通過孔、３１Ｓ……上案内面、３２、２３２、３３２……下搬送ガイド、３２Ｈ、２３２Ｈ、３３２Ｈ……下通過孔、３２Ｓ……下案内面、３３、１３３……左搬送ガイド、３３Ｓ……左案内面、３４……右搬送ガイド、３４Ｓ……右案内面、４１……搬送ローラ対、４７……重送検知センサ、５１……送信部、５２……受信部、５２Ｔ……上面、１３３Ｈ……清掃孔、１３５……回動部、１３６……ステー、１３７……軸体、１３８……スライド軸、２３２ＨＬ……下通過孔左端、２３２ＨＲ……下通過孔右端、３３２Ｐ……通過範囲、３３２ＰＬ……通過範囲左端、３３２ＰＲ……通過範囲右端、ＣＫ……小切手、ＣＫＳ……短辺最短小切手、Ｌ０、Ｌ１、Ｌ２、Ｌ１１、Ｌ１２、ＬＨ、ＬＰ……距離、ＬＳ……最短短辺長、Ｘ１……直線、Ｚ１……清掃治具。
【図１】
2018195188.tif 000003
【図２】
2018195188.tif 000004
【図３】
2018195188.tif 000005
【図４】
2018195188.tif 000006
【図５】
2018195188.tif 000007
【図６】
2018195188.tif 000008
【図７】
2018195188.tif 000009
【図８】
2018195188.tif 000010
【図９】
2018195188.tif 000011
【図１０】
2018195188.tif 000012